(57)【要約】【課題】より信頼性があり、確実なファスナ組立体を提供する。【解決手段】基部と、基部から延びる支持部とを含むファスナである。支持部は、２つの脚部と、端部とを含み、２つの脚部は基部から延び、端部で互いに結合される。保持フィンガが、支持部の脚部間に配置され、保持フィンガの第１の端部は基部に取り付けられ、保持フィンガの第２の端部は支持部の端部に取り付けられる。保持フィンガは、ピークまで外方に延び、ピークから第１及び第２の端部の方向に内方にテーパする。【選択図】図２
2010091111.tif 000002
【特許請求の範囲】
【請求項１】
基部と、
前記基部から延び、２つの脚部及び端部を含む支持部と、
を備え、前記２つの脚部は前記基部から延び、前記端部で互いに結合され、
前記支持部の前記脚部の間に配置された保持フィンガが設けられ、
前記保持フィンガの第１の端部は前記基部に取り付けられ、該保持フィンガの第２の端部は前記支持部の前記端部に取り付けられ、
前記保持フィンガは、ピークまで外方に延び、かつ、前記ピークから前記第１及び第２の端部に向けて内方にテーパすることを特徴とするファスナ。
【請求項２】
前記保持フィンガは、前記基部の長さに沿って走る中心線に対して前記支持部の前記脚部に対向していることを特徴とする、請求項１に記載のファスナ。
【請求項３】
前記保持フィンガは、前記基部の長さに沿って走る中心線の方向に突出する突出部を含むことを特徴とする、請求項１に記載のファスナ。
【請求項４】
前記突出部は、前記基部から遠ざかる方向に狭くなることを特徴とする、請求項３に記載のファスナ。
【請求項５】
前記ファスナは、単一の保持フィンガだけを含み、
前記保持フィンガは弾性であることを特徴とする、請求項３に記載のファスナ。
【請求項６】
前記ファスナは、前記内側保持フィンガ及び前記外側保持フィンガの反対側にある前記基部の側から延びる一対の張力フィンガをさらに含み、
前記基部は切抜き部を含むことを特徴とする、請求項３に記載のファスナ。
【請求項７】
前記支持部は、前記保持フィンガとは異なる材料で作られることを特徴とする、請求項１に記載のファスナ。
【請求項８】
前記脚部は、前記基部と前記端部との間に隆起部を含むことを特徴とする、請求項２に記載のファスナ。
【請求項９】
リブ取付具と、
前記リブ取付具に連結されたファスナと、
を含み、
前記リブ取付具は、本体部と、側縁部とを含み、
前記ファスナは、基部と、前記基部から延びる支持部とを含み、
前記支持部は、前記リブ取付具の側縁部の少なくとも一部の上に嵌合することを特徴とするファスナ組立体。
【請求項１０】
前記支持部は、一対の脚部と、端部とを含み、前記脚部の対は、前記基部から延び、かつ、前記端部で互いに結合され、
前記脚部は、前記リブ取付具の前記側縁部の少なくとも一部の上に嵌合することを特徴とする、請求項９に記載のファスナ組立体。
【請求項１１】
前記リブ取付具は、前記側縁部にある一対のレールをさらに含み、
前記リブ取付具は、前面と、前記前面の反対側の裏面とを含み、
前記レールは前記裏面から延び、前記脚部は前記前面の少なくとも一部の上に嵌合することを特徴とする、請求項１０に記載のファスナ組立体。
【請求項１２】
前記ファスナは、前記支持部の前記脚部間に配置された保持フィンガをさらに含み、
前記保持フィンガの第１の端部は前記基部に取り付けられ、該保持フィンガの第２の端部は前記支持部の前記端部に取り付けられることを特徴とする、請求項１０に記載のファスナ組立体。
【請求項１３】
前記リブ取付具は孔をさらに含み、前記保持フィンガは、前記孔に係合して前記ファスナを該リブ取付具に連結する突出部を含むことを特徴とする、請求項１２に記載のファスナ組立体。
【請求項１４】
単一の突出部だけが前記孔と係合されることを特徴とする、請求項１３に記載のファスナ組立体。
【請求項１５】
前記突出部は、前記基部から遠ざかる方向に狭くなることを特徴とする、請求項１３に記載のファスナ組立体。
【請求項１６】
前記孔は、前記突出部と同じ方向に狭くなり、
前記孔は、実質的に三角形の形状であることを特徴とする、請求項１５に記載のファスナ組立体。
【請求項１７】
前記組立体は、リブをさらに含み、
前記リブ取付具は、前記リブに取り付けられることを特徴とする、請求項１３に記載のファスナ組立体。
【請求項１８】
前記保持フィンガはピークを含み、前記ピークから前記第１及び第２の端部に向けてテーパすることを特徴とする、請求項１７に記載のファスナ組立体。
【請求項１９】
前記組立体は、前記保持フィンガの前記ピークと前記基部との間に保持されるパネルをさらに含むことを特徴とする、請求項１８に記載のファスナ組立体。
【請求項２０】
前記脚部は隆起部を含み、前記パネルは、前記隆起部と前記基部との間にさらに保持されることを特徴とする、請求項１９に記載のファスナ組立体。
【発明の詳細な説明】
【技術分野】
【０００１】
本発明は、２つの部品を互いに固定するために用いることができるファスナ及びファスナ組立体に関する。
本出願は、２００８年１０月１０日に出願された米国仮出願第６１／１０４，４０７号に基づく優先権を主張するものであり、その全体を引用により組み入れる。
【背景技術】
【０００２】
２つの部品を互いに取り付けるためのものとして種々の従来技術のファスナがある。１つのそのような従来技術のファスナ組立体が特許文献１に開示されており、この文献は、図１８及び図１９に示すクリップ２１０について説明する。図１８及び図１９に示されるように、クリップ２１０は、下端部２１４と、上端部２１６と、それらの間に延びる脚部２１２とを含む。クリップ２１０は、上端部２１６における保持ヘッド２１８と、先端部２２８を有する一対の保持タブ２２４とをさらに含む。図１９に示されるように、クリップ２１０は、第１のパネル２３０を第２のパネル２４０に固定する。図１９に示されるように、第２のパネル２４０は、開口部２４８を有するブレード・ファスナ２４２を有する。第１のパネル２３０は、クリップ２１０の脚部２１２の上に嵌合し、クリップ２１０及び第１のパネル２３０を係合する。さらに、保持タブ２２４が、第２のパネル２３０から延びるブレード・ファスナ２４２の開口部２４８内に嵌合し、クリップ２１０を第２のパネル２４０に固定する。従って、クリップ２１０を第１のパネル２３０及び第２のパネル２４０の両方に固定することができ、これにより第１のパネル２３０及び第２のパネル２４０が互いに固定される。図１８及び図１９に示されるように、両方の保持タブ２２４が同じ単一の開口部２４８内に嵌合する。また、クリップ２１０の両側は開いている。
【０００３】
この従来技術には幾つかの欠点がある。例えば、第１のパネル２３０がクリップ２１０から除去されるとき、不注意でクリップ２１０がブレード・ファスナ２４２から除去されることがある。さらに、側面荷重により、クリップ２１０及び第１のパネル２３０が、ブレード・ファスナ２４２及び第２のパネル２４０から切り離されることもある。
【先行技術文献】
【特許文献】
【０００４】
【特許文献１】米国特許第６，７９６，００６号明細書
【発明の概要】
【発明が解決しようとする課題】
【０００５】
従って、より信頼性があり、確実なファスナ組立体を提供することが望ましい。
【課題を解決するための手段】
【０００６】
本出願は、部品間をより確実に結合するように構成されたファスナ及びファスナ組立体に向けられる。
【０００７】
本発明の一態様によると、基部と、基部から延びる支持部とを含むファスナがある。支持部は、２つの脚部と、端部とを含み、２つの脚部は、基部から延び、端部で互いに結合される。保持フィンガが支持部の脚部間に配置され、保持フィンガの第１の端部は基部に取り付けられ、保持フィンガの第２の端部は支持部の端部に取り付かれる。保持フィンガはピークから外方に延び、ピークから第１及び第２の端部の方向に内方にテーパする。
【０００８】
保持フィンガは、基部の長さに沿って走る中心線に対して支持部の脚部に対向することができる。
保持フィンガは、基部の長さに沿って走る中心線の方向に突出する突出部を含むことができる。
突出部は、前記基部から遠ざかる方向に狭くなり得る。
【０００９】
ファスナは、単一の保持フィンガだけを含み、保持フィンガは弾性にすることができる。
ファスナは、内側保持フィンガ及び外側保持フィンガの反対側にある基部の側から延びる一対の張力フィンガをさらに含み、基部は切抜き部を含むことができる。
支持部は、保持フィンガとは異なる材料で作ることができる。
脚部は、基部と端部との間に隆起部を含むことができる。
【００１０】
本発明の別の態様によると、リブ取付具と、リブ取付具に連結されたファスナとを含むファスナ組立体がある。リブ取付具は、本体部と、側縁部とを含み、ファスナは、基部と、基部から延びる支持部とを含む。支持部は、リブ取付具の側縁部の少なくとも一部の上に嵌合する。
【００１１】
支持部は、一対の脚部と、端部とを含み、脚部の対は、基部から延び、端部で互いに結合され、脚部は、リブ取付具の側縁部の少なくとも一部の上に嵌合することができる。
リブ取付具は、側縁部にある一対のレールをさらに含み、リブ取付具は、前面と、前面の反対側の裏面とを含むことができ、レールは裏面から延びることができる。また、脚部は前面の少なくとも一部の上に嵌合することができる。
【００１２】
ファスナは、支持部の脚部間に配置された保持フィンガをさらに含み、保持フィンガの第１の端部は基部に取り付けることができ、保持フィンガの第２の端部は支持部の端部に取り付けることができる。
リブ取付具は孔をさらに含み、保持フィンガは、孔に係合してファスナをリブ取付具に連結する突出部をさらに含むことができる。
【００１３】
ファスナは、孔と係合される単一の突出部だけを含むことができる。
突出部は、基部から遠ざかる方向に狭くなり得る。
孔は、突出部と同じ方向に狭くなることが可能であり、孔は、実質的に三角形の形状にすることができる。
【００１４】
組立体は、リブをさらに含むことができ、リブ取付具をリブに取り付けることができる。
保持フィンガはピークを含み、ピークから第１及び第２の端部の方向にテーパすることができる。
【００１５】
組立体は、保持フィンガのピークと基部との間に保持されるパネルをさらに含むことができる。
脚部は、隆起部を含むことができ、パネルは、隆起部と基部との間にさらに保持することができる。
【００１６】
本発明の上記の及び他の目的、特徴及び利点は、添付の図面と併せて以下の詳細な説明からより明らかになるであろう。
【図面の簡単な説明】
【００１７】
【図１】本発明によるリブ及びリブ取付具の例示的な実施形態を示す斜視図である。
【図２】本発明の例示的な実施形態によるファスナの斜視図である。
【図３】本発明の例示的な実施形態によるファスナの別の斜視図である。
【図４】本発明の例示的な実施形態によるファスナの別の斜視図である。
【図５】本発明の例示的な実施形態によるファスナの平面図である。
【図６】図５の線６を通って取られた、本発明の例示的な実施形態によるファスナの側断面図である。
【図７】本発明の例示的な実施形態によるファスナの正面図である。
【図８】例示的な実施形態によるファスナの切り欠いた斜視図である。
【図９】組み立てられた状態のリブ、リブ取付具及びファスナの斜視図である。
【図１０】本発明の例示的な実施形態によるファスナ組立体の展開図である。
【図１１】本発明の例示的な実施形態によるファスナ組立体の斜視図である。
【図１２】ファスナの別の例示的な実施形態の斜視図である。
【図１３】図１２のファスナの別の斜視図である。
【図１４】リブ取付具の別の例示的な実施形態の前面の斜視図である。
【図１５】図１４に示されるリブ取付具の裏面の斜視図である。
【図１６】図１２及び図１３のファスナと、図１４及び図１５のリブ取付具との組立体の斜視図である。
【図１７】図１６の組立体の別の斜視図である。
【図１８】従来技術のクリップを示す。
【図１９】第１及び第２のパネルと共に図１８の従来技術のクリップを示す。
【発明を実施するための形態】
【００１８】
ここで、添付の図面を参照して、本発明の例示的な実施形態によるファスナ組立体１を詳細に説明する。例示的な実施形態のファスナ組立体１は、ファスナ３０を用いて、２つの部品を互いに取り外し可能に組み立てる。例示的な実施形態においては、ファスナ３０は、リブ取付具１０を用いてパネル６をリブ４に組み立てる。図１１は、組み立てられたときのファスナ組立体１を示し、図１０はファスナ組立体１の展開図である。図１０及び図１１に示されるように、ファスナ組立体は、リブ４と、リブ取付具１０と、ファスナ３０と、パネル６とを含む。
【００１９】
リブ取付具１０及びリブが、図１により詳細に示される。リブ４及びリブ取付具１０は、単一部品として互いに一体形成してもよく、又は互いに固定された２つの別個の部品としてもよい。
【００２０】
ファスナ３０が、例えば図２に単独でより詳細に示される。ファスナ３０は、弾性の内側保持フィンガ４０と、一対の弾性の外側保持フィンガ３６とを含む。内側保持フィンガ４０は、突出部４２を含む。ファスナ３０は、ファスナ３０上の突出部４２とリブ取付具１０内の孔２０との係合により、リブ取付具１０に取り付けられる。一般に、ファスナ３０は、リブ取付具１０及びリブ４が接合された後に（これらが一体形成されていない場合）、リブ取付具１０に結合される。
【００２１】
図１０及び図１１を参照すると、パネル６が、図１０に示される組み立て方向「Ｄ」に内側保持フィンガ４０及び外側保持フィンガ３６の対を押し込むことによって、ファスナ３０に取り付けられる。緩和状態において、内側保持フィンガ４０及び外側保持フィンガ３６は、それぞれピーク４３及び３７に向けて外方に延びる。パネル６が保持フィンガ４０、３６の上に押し付けられると、パネル６は、初めに保持フィンガを内方に撓ませる。次に、パネル６が保持フィンガのピーク４３、３７の上に押し込まれ、パネル６がその最終的な組み立て地点に近づいた後、保持フィンガ３６、４０は、それらの緩和状態に向けて跳ね戻り、パネル６をファスナの基部３２に隣接して固定する。パネル６内の孔７の幅は、ピーク４３、３７におけるファスナ３０の幅よりも狭いので、パネル６は、保持フィンガ３６、４０のピークと基部３２との間に保持される。このように、ファスナ組立体１は、図１に示されるように組み立てられ、パネル６をリブ４に結合させる。ファスナ組立体１の構成部品、並びにそれらの構造及び動作のさらなる詳細は、以下に説明される。
【００２２】
図１は、リブ４及びリブ取付具１０をさらに詳細に示す。リブ取付具１０は、基部１３を有する一対のレール１２と、延長部とを含む。本体部１６が、側縁部を含む外側部を含むレール１２の対の間に形成される。本体部１６は、下端部１７及び上端部１８を有する。レール１２の基部１３がリブ４に取り付けられ、延長部１４は、リブ４及び基部１３から遠ざかるように延びる。リブ取付具１０は、これらに限られるものではないが、機械的締結、接着、又は溶接を含む種々の構造／方法のいずれかにより、リブ４に取り付けることができる。代替的に、リブ取付具１０及びリブ４は、単一の一体構造部品としてもよい。リブ取付具１０の本体部１６は、ファスナ３０をリブ取付具１０に固定するように、ファスナ３０上の突出部４２と係合するように設計された孔２０を含む。孔２０及び突出部４２の機能は、以下にさらに詳細に説明される。
【００２３】
図２−図７は、ファスナ３０の種々の図を示す。これらの図に示されるように、ファスナ３０は、上端部に基部３２、３２´を含む。支持部５０、弾性内側保持フィンガ３６、及び一対の弾性外側保持フィンガ４０が、基部３２、３２´の底側から下向きに延びる。図２及び図４−図６に示されるように、ファスナ３０はまた、基部３２、３２´の上部から突出する一対の張力フィンガ３４を含むこともできる。ファスナ３０は、これらに限られるものではないが、アセタール、ナイロン、又はポリプロピレンを含むプラスチックで作ることができる。
【００２４】
図２−図４に示されるように、基部３２の形状は、クリップの特定の使用によって変わり得る。図２に示されるように、基部３２は、ほぼ矩形であり、支持部５０よりわずかだけ幅が広く、これにより材料の量と関連したコストが低減される。図２の例示的な実施形態において、基部は、約２ｍｍの厚さ「ａ」を有することができる。代替的に、基部をより幅広にしてもよく、又は図４に示される楕円形の凹状基部３２´のような異なる形状を有してもよい。基部３２´の底部が、ファスナ３０上に組み立てられるパネルに接触することができ、凹状の面とパネル６との間に張力を生成するので、図４に示される楕円形の凹状基部３２´は有利であり得る。凹状基部３２´の底部が一定の張力でパネル６に接触し得るので、ファスナ３０に組み立てられたとき、この凹状基部３２´の底部は、パネル６の運動又はがたつきを制限することができる。
【００２５】
図３に最も良く示されるように、基部３２は、切抜き部３３を含む。切抜き部３３は、基部３２（及び、全体的にファスナ３０）をリブ取付具１０の上に摺動させることを可能にする。特定的には、例えば図９に示されるように、切抜き部３３がリブ取付具１０の底部と位置合わせされたとき、基部をリブ取付具１０の上に摺動させて、その上に嵌合することができる。切抜き部３３は、ファスナ３０をリブ取付具１０の上に摺動させ、これと係合させることを可能にする、任意の適切な形状で作ることができる。例示的な実施形態において、切抜き部３３は、リブ取付具１０の断面形状に対応するような形状に作られる。例示的な実施形態における切抜き部３３の断面形状は、リブ取付具１０の断面形状に対応するので、切抜き部３３の縁部とリブ取付具１０の表面との噛み合いは、部品を位置合わせし、がたつき又は他の相対的な運動を制限するのに役立つ。
【００２６】
図２−図４及び図７に示されるように、支持部５０が、ファスナ３０の基部３２の下側から延びる。１つの例示的な実施形態においては、支持部５０は、約１７ｍｍの高さ「ｈ」を有する。支持部は、基部３２の下側から延びる一対の脚部５２と、脚部５２の底部に結合する下端部５４とを含む。支持部の脚部５２は、ファスナ３０の側部における支持を与える。図７に示されるように、下端部５４の幅は、脚部５２に接触するｗ１から下端部５４の下部のｗ２まで着実に減少する。１つの例示的な実施形態において、ｗ１は約１４ｍｍの幅であり、ｗ２は約１０ｍｍである。図８に示されるように、端部５４は、ファスナ３０の中心付近にＴ形状の断面を有する。
【００２７】
外側保持フィンガ３６の対及び内側保持フィンガ４０は、ファスナ３０の基部３２から支持部５０の下端部５４まで延びる。外側保持フィンガは、基部３２に取り付けられた第１の（上部）端部３８と、支持部５０の下端部５４に取り付けられた第２の（下部）端部３９とを有する。外側保持フィンガ３６は、それらの両端部３８、３９からピーク３７に向けて外方に突出する。つまり、外側保持フィンガ３６は、これらが３７でピークに達するまで基部３２の第１の端部３８から厚さ方向「Ｔ」に外方に延び、次に支持部５０の下端部５４の第２の端部３９まで再び内方にテーパする（図５を参照されたい）。外側保持フィンガ３６と同様に、内側保持フィンガ４０は、基部３２に取り付けられた第１の（上部）端部４４と、支持部５０の下端部５４に取り付けられた第２の（下部）端部４５とを有する。また、内側保持フィンガ４０は、これが４３におけるピークに達するまで基部３２における第１の端部４４から外方に延び、次に支持部５０の下端部５４におけるその第２の端部４５まで再び内方にテーパする。従って、内側保持フィンガ４０は、ピーク３７、４３（内側保持フィンガ４０及び外側保持フィンガ３６が最も遠く離れている地点）においてよりも、厚さ方向Ｔに外側保持フィンガ３６に近い。例えば、図５の例示的な実施形態において、内側保持フィンガ４０は、Ｔ１で約４ｍｍから５ｍｍまで、及び、Ｔ２で約８ｍｍだけ離間配置することができる。
【００２８】
図６は、図５の線６を通って取られた、ファスナ３０の断面図である。断面は、外側保持フィンガ３６の１つの中心及び１つの内側保持フィンガ４０の中心を通って走る。図６に示されるように、保持フィンガ３６、４０は、これらが基部３２の側からピークに近づくとき、曲率半径Ｒ１を有する。例示的な実施形態においては、曲率半径は、約０．４ｍｍから０．６ｍｍまでとすることができる。このことは、パネル６をピーク３７、４３と基部３２との間に固定するのに役立つ。同じく図６及び図８に示されるように、保持フィンガ３６、４０は、それらが支持部５０の下端部５４に接触する場所でより狭くなる。より狭い部分６１、６２は、保持フィンガ３６、４０の可撓性に役立つ。
【００２９】
図５に示されるように、内側保持フィンガ４０は、外側保持フィンガ３６よりも幅が広い。例えば、１つの例示的な実施形態においては、内側保持フィンガ４０は約３ｍｍの幅ｗ３を有することができ、外側保持フィンガは約２ｍｍの幅ｗ４を有することができる。内側保持フィンガ４０の幅がより広いことにより、その強度が増大される。例示的な実施形態においては、内側保持フィンガ４０は、リブ取付具１０に係合する唯一の保持フィンガである。増大した幅によりもたらされる付加的な強度は、内側保持フィンガ４０が、リブ取付具１０内の孔２０と係合することにより生じる力に耐え得ることを保証するのに役立つ。
【００３０】
例示的な実施形態においては、２つの外側保持フィンガ３６及び１つの内側保持フィンガ４０がある。このことにより、対称的な構成の多数の保持フィンガを用いて確実な嵌合を与える、簡単で効果的な構成が可能になる。しかしながら、とりわけ保持フィンガの数が制限されているわけではなく、そこで「内側」保持フィンガ及び「外側」保持フィンガである必要はない。例えば、「内側」でも又は「外側」でもない、単に２つの対称的に形成された保持フィンガがあってもよい。
【００３１】
図に示されるように、例示的な実施形態の内側保持フィンガ４０は、リブ取付具１０上の孔２０に対応するように設計された突出部４２を含む。突出部４２は、図２、図４、図６及び図７を含む種々の図に示されている。図に示されるように、突出部４２は、内側保持フィンガ４０から内方に延びる。上述のように、ファスナ３０を、基部３２上の切抜き部３３を通ってリブ取付具１０の上に摺動させることができる。最終的に、ファスナ３０がリブ取付具１０の上に摺動されると、突出部４２は孔２０と係合状態になる。内側保持フィンガ４０は弾力的であるので、ファスナ３０がリブ取付具１０の上に摺動したとき、本体部１６の表面が突出部４２に当たり、その結果、突出部４２及び内側保持フィンガ４９が外方に押される。突出部４２が孔２０に達すると、図９に示されるように、突出部４２がばね作用により孔２０に入り、ファスナ３０及びリブ取付具１０に係合する。突出部４２と孔２０との間の干渉により、ファスナ３０がリブ取付具１０に取り付けられる。
【００３２】
図５に示されるように、突出部４２は、ファスナ３０の中心線を超えて延びることができる。この延長の程度が、突出部４２及び孔２０のより良好な係合を可能にする。例示的な実施形態においては、突出部４２は、約０．６ｍｍ〜０．７ｍｍだけファスナ３０の中心線「Ｃ」を超えて延びることができる。さらに、突出部４２の下端部が突出部４２の上部より遠くに突出するように、図５に示されるように突出部４２の前面４１に角度を付けることができる。突出部は、中心線「Ｃ」と約２５°の角度を形成することができる。図８に示されるように、突出部４２は実質的に中空であり、２つの側壁４７により境界付けられた中空部分４６を有する。
【００３３】
例示的な実施形態においては、単一の孔２０に係合する単一の突出部４２がある。孔２０と係合可能な１つの突出部４２しかないので、突出部４２は、孔２０の半分よりも多く入ることができる。例えば、突出部４２は、孔２０の中に完全に収容されてもよく、孔２０を貫通して延び、一部が孔２０の他方の側を出て延びてもよい。図１８及び図１９に示されるもののような従来技術の装置においては、２つのフィンガ／突出部の両方が、単一の孔の中に収容され、各々が反対側から孔に入る。単一の孔内に２つの突出部があるので、突出部がこの半分の地点で互いに接触することから、いずれの突出部も半分より多く孔に入ることはできない。突出部４２が半分より多く孔２０の中に入ることができるので、突出部４２と孔４０の、よって、ファスナ３０とリブ取付具１０のより確実な係合が得られる。
【００３４】
図に示される例示的な実施形態は、１つの孔と、１つの突出部とを含む。しかしながら、１つより多い孔及び突出部を含む他の実施形態により、より確実な係合を達成することも可能である。例えば、２つの突出部及び２つの孔（１つの孔が２つの突出部の各々に対応する）を有する実施形態においては、１つの孔及び１つの突出部だけしかない示された例示的な実施形態の場合のように、突出部は、同じように孔内に又は孔を通って完全に延びることができる。勿論、本発明は、特に、孔及び突出部の数が対応する例、及び、各々の孔が単一の突出部だけを収容する例に制限されるものではない。
【００３５】
さらに、図２、図４、図５、図７及び図８に示されるように、突出部４２が、内側保持フィンガ４０上に形成される。従って、内側保持フィンガ４０は、パネル６を保持するのにも、ファスナ３０をリブ取付具１０と係合するのにも役立つ。この構成は、パネル６がファスナ３０から取り外されるとき、突出部４２がファスナ３０及びリブ取付具１０をより確実に接合することを可能にする。部品の保守修理又は分解のためにパネル６がファスナ組立体から除去されるとき（図１０及び図１１の方向「Ｒ」）、リブ取付具１０から遠ざかる力がファスナ３０上にもたらされる。つまり、パネル６が方向Ｒに移動されるとき、同じ方向の力がファスナ３０上にもたらされる。従来技術のファスナ組立体においては、この力により、ファスナ３０が意図せずリブ取付具１０から除去されることがある。しかしながら、本発明の例示的な実施形態においては、パネル６が組立体から除去されるとき、保持フィンガ３６、４０も内方に押し付けられる。例示的な実施形態においては、突出部４２は内側保持フィンガ４０上に位置するので、内側保持フィンガ４０を内方に押すことにより、突出部４２も、孔２０と係合する方向に押される。このことは、突出部４２と孔２０との係合を、よって、ファスナ３０とリブ取付具１０との間の取り付けを維持するのに役立つ。従って、パネル６の除去がファスナ３０及びリブ取付具１０を引き離すＲ方向の力をファスナ３０に生じさせる一方で、内側保持フィンガ４０及び突出部４２上に内向きの力ももたらし、このことは、突出部４２と孔２０との係合を維持するのに役立つ。このことは、ファスナ３０及びリブ取付具１０を引き離す力に抵抗する助けとなり、パネル６がファスナ３０から除去されるときでさえ、ファスナ３０及びリブ取付具１０を組み立てられた状態に保持するのを助ける。
【００３６】
例示的な実施形態における突出部４２及び孔２０の形状はまた、緊密なファスナ組立体１を提供する助けにもなる。図１に示されるように、例えば、孔２０はリブ取付具１０の基部１３に向けて大きくなり、図２に示されるように、突出部４２はファスナ３０の基部３２に向けて大きくなる。特定的には、孔２０は、ほぼ三角形の形状である。孔２０の上部はその底部よりも大きいので、突出部４２は、その上部付近の孔２０の寸法がより大きいためにより多くの余裕がある、孔２０の上部及び中心に向けて押し付けられる。突出部４２は、孔２０の上部及びリブ取付具１０の基部１３に向けて付勢されるので、ファスナ３０は、リブ取付具１０を有する組立体の方向に付勢され、より緊密でより確実な組立体１を提供する。上述のように、この例示的な実施形態における特定の形状の突出部４２は、より確実な嵌合をもたらすが、本発明は、特に特定の形状の突出部に制限されるものではない。
【００３７】
図に示される例示的な実施形態においては、突出部４２は内側保持フィンガ４０上に形成されるが、組立体は、この構成に制限されるものではない。例えば、内側保持フィンガの代わりに、外側保持フィンガ上に突出部を形成してもよい。代替的に、外側保持フィンガ及び内側保持フィンガの両方の上に突出部を形成してもよい。対応する孔が保持フィンガの１つ又はそれ以上の上に形成された状態で、突出部がリブ取付具上に形成されることさえ可能である。
【００３８】
図１０に示されるように、パネル６に固定するように、内側保持フィンガ４０及び外側保持フィンガ３６は、可撓性で弾力があるものである。特に、図１０に示されるように、例示的な実施形態のパネル６は、孔７を含む。パネル６をファスナ３０に固定するために、孔７は、ファスナ３０の底部と位置合わせされ、ファスナ３０の上に摺動される。パネル６がファスナ３０の上に摺動されるとき、パネル６は、パネルがピーク７に達するまで、保持フィンガ３６、４０を内方に押す。パネル６がファスナ３０の上にさらに押されると、保持フィンガ３６、４０は、再びそれらの元の位置に向けて解放され始める。
【００３９】
図９に示されるように、ファスナ３０がリブ取付具１０と共に組み立てられると、支持部５０はレール１２及びリブ取付具１０の下端部の上に嵌合する。特定的には、支持部の脚部５２はリブ取付具１０のレール１２の上に嵌合し、支持部５０の下端部５４はリブ取付具１０の下端部１５の上に嵌合する。支持部５０の脚部５２はリブ取付具１０のレール１２の上に嵌合するので、ファスナ３０は、リブ取付具１０により確実に取り付けられる。この例示的な実施形態のファスナ３０が側面荷重を受ける場合、支持部５０の脚部５２は、リブ取付具１０のレール１２に当たり、ファスナ３０がリブ取付具１０から外れるのを防止する。従って、支持部５０の脚部５２は、側面荷重により、ファスナ３０がリブ取付具１０及びリブ４から外れるのを制限する又は防止するのに特に有用である。さらに、脚部５２は、組み立て中、ファスナをリブ取付具１０上に適切に位置合わせする助けにもなり得る。
【００４０】
さらに、支持部５０は、パネル６内の孔を満たすことによって、ファスナ３０とパネル６との間に少なくとも１つの何らかのシールを設けることができる。１つの例示的な実施形態においては、支持部のシール効果を高めるために、支持部５０の少なくとも一部を、ファスナ３０の残りの部分とは異なる材料で作ることができる。例えば、支持部５０の少なくとも一部を、ゴム又は発泡材料で作ることができる。支持部５０の少なくとも一部が、ファスナ３０の残りの部分とは異なる材料で作られるとき、２回成形法（ｔｗｏ−ｓｈｏｔ  ｐｒｏｃｅｓｓ）を用いてファスナを作製することができる。
【００４１】
前述のように、ファスナ３０はまた、基部３２の上部から突出する一対の張力フィンガ３４を含むこともできる。例示的な実施形態に示されるように、これらの張力フィンガは、弾力的な突出部の形態をとることができ、ファスナ組立体のがたつき又は運動を低減させることができる。図９に示されるように、ファスナ組立体が組み立てられたとき、張力フィンガ３４はリブ４に押し当たる。張力フィンガ３４がリブ４に押し当たると、張力フィンガ３４は、リブ４により荷重下に置かれ、弾性的に変形することができる。従って、ファスナ３０は、リブ４とパネル６との間に押し付けられるため、その運動が制限され、その結果生じる如何なるがたつき等も制限されるか又は防止される。
【００４２】
本発明のファスナ組立体の別の例示的な実施形態が、図１２−図１７に示される。特に断りがない限り又は表示されていない限り、本発明のこの実施形態の特徴は、図１−図１１の例示的な実施形態におけるものと同じである。
【００４３】
図１２及び図１３は、ファスナ１３０の斜視図である。これらの図に示されるように、このファスナは、前述の実施形態の基部３２と類似した切抜き部１３３を備えた基部１３２を有する。切抜き部１３３は、該切抜き部１３３内に嵌合されるリブ取付具１１０の形状に対応するように設計される。特定的には、切抜き部１３３は、浅い「Ｕ」形状に設計される。前述の実施形態と同様に、基部は、基部１３２の側部から延びる張力フィンガ１３４を含むことができる。この実施形態の基部は、図４におけるように凹状に作ることもできる。図１２及び図１３に示されるように、ファスナ１３０は、第１の端部１３８において基部１３２に結合し、第２の端部１３９において支持部１５０に結合し、ピーク１４３を有する保持フィンガ１４０を含む。パネル６（図示せず）は、ピーク１４３と基部１３２との間に保持することができる。保持フィンガ１４０は、後に述べられるリブ取付具１１０内の孔１２０に係合するように設計される突出部１４２を含む。この突出部は、図１−図１１の実施形態に示される突出部４２と同じものである。図１２及び図１３に示されるように、ファスナ１３０は、下端部１５４及び脚部１５２を有する支持部１５０を有する。図１３に最も良く示されるように、脚部１５２は、隆起部１５３に向けて外方に拡大する。この実施形態において、隆起部１５３は、ファスナ上のパネル６を隆起部１５３と基部１３２との間に保持するのを助ける。脚部１５２はパネル６を保持することができるので、この例示的な実施形態は、いずれの外側保持フィンガも含まないが、所望であれば、付加的な支持又は保持のために外側保持フィンガを含ませることもできる。
【００４４】
図１２に示されるように、脚部１５２は、基部１３２の中心線に対して内側保持フィンガ１４０にほぼ対向している。これは、支持部５０の脚部５２が基部３２の長さを通る中心線を中心に対称的である図１〜図１１の例示的な実施形態におけるものとは異なる。
【００４５】
ファスナ１３０と共に用いるためのリブ取付具１１０が、図１４及び図１５に示される。リブ取付具１１０は、本体部１１６と、側部レール１１２とを有する。図１４はリブ取付具１１０の前面１２１を示し、図１５はリブ取付具１１０の裏面１２２を示す。この実施形態において、側部レール１１２は、一方の側、すなわち、リブ取付具１１０の裏面１２２からだけ延びる。リブ取付具１１０はまた、上部から底部まで幅が減少する本体部１１６内の孔１２０も含む。リブ取付具１１０は、側部レール１１２の両側に側縁部１１９を有する。
【００４６】
リブ取付具１１０及びファスナ１３０を含むファスナ組立体１０１が、図１６及び図１７に示される。これらの図に示されるように、リブ取付具１１０を、切抜き部１３３を通してファスナ１３０に挿入することができる。突出部１４２が孔１２０に嵌合し、ファスナ１３０及びリブ取付具１１０を固定する。支持部１５０は、リブ取付具１１０をファスナ１３０内に案内し、これを適所に保持するようにも働くことができる。支持部の脚部１５２は、リブ取付具１１０の側縁部１１９の少なくとも一部を覆う。脚部１５２はまた、リブ取付具の前面１２１の一部も覆う。
【００４７】
支持部は、ファスナ１３０及びリブ取付具１１０を互いに取り付けられた状態に保持するのを助ける。例えば、組立体が側面荷重を受け、それにより、リブ取付具１１０がファスナ１３０に対して横に移動する場合、リブ取付具１１０の側縁部１１９がファスナの脚部１５２に当たり、相対的な運動を制限する。また、リブ取付具１１０の傾斜により、リブ取付具の上端部１１８が支持部の上部１５４に当たる。さらに、上述のように、この実施形態における脚部１５３は、保持フィンガ１４０に対向している。従って、保持フィンガ１４０及び脚部１５２の存在により、前後運動が制限される。運動は、リブ取付具１１０の形状に対応する切抜き部１３３を含む基部１３２によっても制限される。少なくともこれらのような方法で、本実施形態のファスナ及びリブ取付具は、リブ取付具１１０とファスナ１３０との間に安定した確実な取り付けを与える。
【００４８】
突出部１４２は、図１−図１１の例示的な実施形態に関して上述された突出部４２と同じような形状に作られる。従って、例えば、突出部１４２は、孔１２０を通って延び、突出部１４２と孔１２０との間の強い係合を保証するように十分に長く作ることができる。
【００４９】
リブ取付具１１０は、溶接又は接着を含む種々の手段のいずれかによって、リブ４（図示せず）に取り付けることができる。さらに、リブ取付具１１０は、実質的に基部１３２を超えて延びるものとして図示されている。しかしながら、リブ取付具１１０は、基部１３２をわずかに超えて延びるだけであるように、又は実質的に基部１３２とほぼ平行であるように、より短くすることもできる。
上述のように、パネル６（図示せず）を上端部におけるピーク１４３及び隆起部１５３と、下端部における基部１３２との間に固定することができる。
【００５０】
異なる実施形態の特徴は、実施可能であるように組み合わせること又は置き換えることが可能である。例えば、この実施形態は、外側保持フィンガを含まないが、所望であれば、そのようなフィンガを付加することができる。また、支持部１５０は、支持部５０と同様に、ファスナ１３２の側部全体に巻き付けるように作ることができる。同様に、図１２及び図１３の支持部１５０を、図１−図１１の実施形態において用いることができ、或いは、支持部１５０と共に示されるもののような隆起部１５３を支持部５０に付加することができる。本発明の例示的な実施形態は、例示を目的として説明されたものであり、当業者であれば、添付の特許請求の範囲に開示されるような本発明の精神及び範囲から逸脱することなく、種々の修正、追加、及び置換えが可能であることを理解するであろう。
【符号の説明】
【００５１】
１、１０１：ファスナ組立体
４：リブ
６、２３０、２４０：パネル
７、２０、１２０：孔
１０、１１０：リブ取付具
１２：レール
３０、１３０：ファスナ
３２、３２´、１３２：（ファスナの）基部
３３、１３３：切抜き部
３４：張力フィンガ
３６、４０、１４０：保持フィンガ
３７、４３、１４３：ピーク
４２、１４２：突出部
５０、１５０：支持部
５２、１５２、２１２：脚部
５４、１５４：（支持部の）下端部
１５３：隆起部
２１０：クリップ
２２４：保持タブ
【図１】
2010091111.tif 000003
【図２】
2010091111.tif 000004
【図３】
2010091111.tif 000005
【図４】
2010091111.tif 000006
【図５】
2010091111.tif 000007
【図６】
2010091111.tif 000008
【図７】
2010091111.tif 000009
【図８】
2010091111.tif 000010
【図９】
2010091111.tif 000011
【図１０】
2010091111.tif 000012
【図１１】
2010091111.tif 000013
【図１２】
2010091111.tif 000014
【図１３】
2010091111.tif 000015
【図１４】
2010091111.tif 000016
【図１５】
2010091111.tif 000017
【図１６】
2010091111.tif 000018
【図１７】
2010091111.tif 000019
【図１８】
2010091111.tif 000020
【図１９】
2010091111.tif 000021
【外国語明細書】
2010091111.tif 000022
2010091111.tif 000023
2010091111.tif 000024
2010091111.tif 000025
2010091111.tif 000026
2010091111.tif 000027
2010091111.tif 000028
2010091111.tif 000029
2010091111.tif 000030
2010091111.tif 000031
2010091111.tif 000032
2010091111.tif 000033
2010091111.tif 000034
2010091111.tif 000035
2010091111.tif 000036
2010091111.tif 000037
2010091111.tif 000038
2010091111.tif 000039
2010091111.tif 000040
2010091111.tif 000041
2010091111.tif 000042
2010091111.tif 000043
2010091111.tif 000044
2010091111.tif 000045
2010091111.tif 000046
2010091111.tif 000047
2010091111.tif 000048
2010091111.tif 000049
2010091111.tif 000050
2010091111.tif 000051
2010091111.tif 000052
2010091111.tif 000053
2010091111.tif 000054
2010091111.tif 000055
2010091111.tif 000056
2010091111.tif 000057
2010091111.tif 000058
2010091111.tif 000059